(57)【特許請求の範囲】
【請求項１】
シャッタ開口を開閉する閉鎖羽根及び開放羽根、上記閉鎖羽根を駆動する閉鎖レバー、上記開放羽根を駆動する開放レバー、上記閉鎖レバーの動作を規制するロックレバー、上記閉鎖レバーと上記開放レバーと上記ロックレバーとを所定位置にセットするセットレバーを備えたフォーカルプレーンシャッタにおいて、
上記閉鎖レバーは第１閉鎖レバーと第２閉鎖レバーとからなり、
上記第２閉鎖レバーは上記第１閉鎖レバーとともに同軸に揺動自在に支持されて、上記第１閉鎖レバーに従動可能で、一端に上記閉鎖羽根を駆動する駆動部が設けてあるとともに、他端に上記ロックレバーと係合する係合部が設けてあり、
上記ロックレバーは第１係合受部と第２係合受部とを備えており、
上記第２閉鎖レバーは上記所定位置にセットされる手前位置まで上記係合部が上記ロックレバーの第２係合受部に係合し、その後に上記ロックレバーの第１係合受部に係合して上記所定位置にセットされる
ことを特徴とするフォーカルプレーンシャッタ。
【請求項２】
請求項１において、上記第２閉鎖レバーの上記係合部は、露光終了後には、上記ロックレバーの上記第２係合受部に係合し、その後、上記セットレバーが上記各レバーをセットする際に上記第２係合受部と上記係合部との係合を解除して、上記係合部を上記第１係合受部に係合し直し上記第２閉鎖レバーを所定位置に保持し、上記セットレバーがセット位置から退避位置に移動する際に上記第１係合受部と上記係合部との係合が解除される
ことを特徴とするフォーカルプレーンシャッタ。
【発明の詳細な説明】
【０００１】
【発明の技術分野】
この発明はフォーカルプレーンシャッタに関するものである。
【０００２】
【従来の技術】
フォーカルプレーンシャッタの例として、基板に設けられたシャッタ開口を開放シャッタ羽根ユニットと閉鎖シャッタ羽根ユニットを交互に往復移動させることにより露出動作を行うようにしたものがある（例えば実開平３−２９８３９号公報）。
これらの各ユニットの駆動は基板の裏側に設けられた駆動機構により行われるが、これらの各ユニットの動作のさせ方により一重遮光形式ものと二重遮光形式のものとがある。
一重遮光形式のシャッタは初期状態において、閉鎖羽根は開口から退避した状態になっているのに対し、開放羽根は開口を閉じた状態となっている。
【０００３】
これに対し、二重遮光形式のフォーカルプレーンシャッタは、初期状態では閉鎖羽根及び開放羽根の双方が開口を閉じているものである。一重遮光形式のフォーカルプレーンシャッタには、図５に示すように、初期状態において、本来開口から退避していなくてはならない閉鎖羽根が衝撃等のなんらかの要因で、開放羽根が開口を開くよりも先に動いてしまって開口を閉じる動作をした場合、閉鎖羽根が開口を閉じたとき閉鎖羽根に駆動力を伝達する閉鎖アーム２２が開放羽根を駆動する開放レバー１２のピン１２ｅと当接し、開放羽根を保持状態から強制的に駆動させて開口から退避させるものがある。
このようにすると、制御回路（図示せず）がシャッタ駆動制御を行う前に開放レバー１２により閃光タイミングスイッチ１５のスイッチが入れられて、制御回路は、シャッタが異常動作したことを検知することが可能となっている。
【０００４】
【発明が解決しようとする課題】
二重遮光形式のフォーカルプレーンシャッタにおいても、レリーズ操作後閉鎖羽根が開口から退避したとき一重遮光タイプと同じく、開放羽根が開口から退避する前になんらかの要因で閉鎖羽根が開口を閉じてしまう恐れがある。
二重遮光形式のシャッタに単純に前述した一重遮光タイプと同じ、閉鎖アームと開放レバーのピンとを当接させて強制的に開放羽根を駆動させる構成を採用しようとすると、初期位置へセットするためのチャージのときに、開放レバーのピンが閉鎖アームに当接してしまい、初期位置まで開放羽根を戻せない事態が生じる。なぜなら、一重遮光タイプのときは初期位置では、閉鎖羽根が開口から退避していたので、開放レバーと閉鎖アームとが当接することはありえなかったが、二重遮光タイプの場合、初期位置では開放、閉鎖の双方とも開口を閉じるようになるためである。
【０００５】
【課題を解決するための手段】
上記の目的を達成するために、本発明の二重遮光形式のフォーカルプレーンシャッタは閉鎖レバーの一端に閉鎖羽根を駆動する駆動ピンが設けるとともに、他端にロックレバーと係合する係合部を設け、この係合部がロックレバーに設けられた第１と第２の２つの係合受部と係合可能とすることにより露光終了時における閉鎖羽根の位置と初期状態における閉鎖羽根の位置とに閉鎖羽根の停止位置を違えている。
【０００６】
露光後の状態のときには第２係合受部が係合部と係合することにより閉鎖羽根を閉じた状態とし、セットにより初期状態に戻る直前には第２係合部との係合を解除し、係合部と第１係合受部とが係合することにより、閉鎖羽根を上記の閉じた状態よりもやや後退させ、閉鎖アームに開放レバーの駆動ピンが当接しないようにしてある。
【０００７】
【発明の実施の形態】
シャッタ開口を開閉する閉鎖羽根及び開放羽根、閉鎖羽根を駆動する閉鎖レバー、開放羽根を駆動する開放レバー、閉鎖レバーの動作を規制するロックレバー、閉鎖レバーと開放レバーとロックレバーとを所定位置にセットするセットレバーを備えたフォーカルプレーンシャッタにおいて、閉鎖レバーは第１閉鎖レバーと第２閉鎖レバーとからなり、第２閉鎖レバーは第１閉鎖レバーとともに同軸に揺動自在に支持されて、第１閉鎖レバーに従動可能で、一端に閉鎖羽根を駆動する駆動部が設けてあるとともに、他端にロックレバーと係合する係合部が設けてあり、ロックレバーは第１係合受部と第２係合受部とを備えており、第２閉鎖レバーは所定位置にセットされる手前位置まで係合部がロックレバーの第２係合受部に係合し、その後にロックレバーの第１係合受部に係合して所定位置にセットされる。
【０００８】
また、第２閉鎖レバーの係合部は、露光終了後には、ロックレバーの第２係合受部に係合し、その後、セットレバーが上記各レバーをセットする際に第２係合受部と係合部との係合を解除して、係合部を第２係合受部に係合し直し第１閉鎖レバーを所定位置に保持し、セットレバーがセット位置から退避位置に移動する際に第１係合受部と係合部との係合が解除されるようにするのが好ましい。
【０００９】
【実施例】
図１は本発明に係るフォーカルプレーンシャッタの駆動部を拡大して示したものであり、これらの各要素を支持する基板やシャッタ開口及び閉鎖羽根や開放羽根等の図示は省略してある。
図の中央部に位置するセットレバー１は、基板に突設してある支軸１ａに揺動自在に支持されている。セットレバー１の外周部には４か所に形成された半島状の突部と、これらの突部間に形成された湾部とからなり、図１の上部に位置する突部１ｂは後述の閉鎖レバー５を初期位置にセットするためのものであり、左部に位置する突部１ｃは後述の開放レバー１２を初期位置にセットするためのものである。
【００１０】
図１右方に位置する２つの突部間に形成された湾部１ｄは、セットレバー駆動用のレバー(図示略)を侵入させ、このセットレバーを揺動させるものである。セットレバー１の突部１ｂ，１ｃの背面中間位置には、後述のロックレバー２の位置をセットするセットピン１ｅが設けてある。
セットレバー１の左方には、上部に係合受部が２つ形成してあり引張りバネ３により時計回り方向（以下「右旋」）に付勢されているロックレバー２が支持軸２ａに揺動自在に支持されている。ロックレバー２の下部は、セットレバー１の背面に設けられたセットピン１ｅに当接している。
【００１１】
図１の状態において、セットレバー１のセットピン１ｅによりロックレバー２はこの引張りバネ３による付勢力に逆らって右上がりに傾いた状態になっている。ロックレバー２の上部の両端には本発明を具体化する第１係合受部２ｂと第２係合受部２ｃとが形成してあり、図１の状態においては、第２係合受部２ｃに後述の第１係合部７ｃが係合している。
ロックレバー２の直ぐ下方には、ストッパピン４がロックレバー２の回動を規制可能に設けてある。セットレバー１及びロックレバー２の上方には閉鎖レバー５が設けてある。
【００１２】
閉鎖レバー５は、第１閉鎖レバー６と第２閉鎖レバー７とを組み合わせたものからなり、両者とも支持軸５ａを介して図示していない基板に揺動自在に支持してある。
第１閉鎖レバー６は正面形状が銅鐸状に形成されたプレートからなり、引張りバネ９により右旋方向に付勢されている。その背面側の一部にローラピン６ａを介してローラ６ｂが設けてあり、他部には第２閉鎖レバー７と当接可能な当接部６ｃが設けてある。第１閉鎖レバー６の上面の一部には軟磁性板８が固着してあり、電磁石１１に吸着可能となっている。
【００１３】
第２閉鎖レバー７は、第１閉鎖レバー６の下面側に当接状態に設けてあり、正面の形状が拳銃の形に似た形状に形成されたプレートの先端部下面には駆動ピン７ａが設けてある。駆動ピン７ａは図５で図示される閉鎖アーム２１を駆動するものであり、図１の位置にあるときには閉鎖アーム２１が下方に傾いた状態となっており、閉鎖羽根が開口を閉じていることを示している。
第２閉鎖レバー７の基端部には、図１の状態で左側に位置する突起からなる第２係合部７ｃと、右側に位置する第１係合部７ｂとがある。図１の状態では第１係合受部２ｂと第１係合部７ｂとが係合した状態になっている。
第１閉鎖レバー６と第２閉鎖レバー７との間には引張りバネ１０が張設してあり、このバネの付勢力により第２閉鎖レバー７は第１閉鎖レバー６に対して反時計回り方向(以下「左旋」)に付勢されている。
【００１４】
図１の状態において、第１閉鎖レバー６はセットレバー１の突部１ｂによって保持され、軟磁性板８が電磁石１１に吸着可能にされているのに対し、第２閉鎖レバー７は第１係合部７ｂがロックレバー２の第１係合受部２ｂと係合しており、引張りバネ１０がチャージされた状態になっている。
セットレバー１の左下方には、開放レバー１２が支持軸１２ａにより基板に揺動自在に取り付けてある。開放レバー１２は旧型の錠前を開けた状態に似た形状に形成されたプレート１２ｂの上面上部にローラ１２ｃが設けてあり、プレート１２ｂの下面右上部に突出した突部１２ｄには、図示していない開放アームを駆動する駆動ピン１２ｅが設けてある。開放レバー１２は引張バネ１３により右旋に付勢されている。また、プレート１２ｂの上面右方には軟磁性板１４が固着されている。なお図１の状態では、この軟磁性板１４は図示されていない電磁石に吸着された状態になっている。
開放レバー１２の下方には、フラッシュ用スイッチ１５が設けてあり、駆動ピン１２ｅがこのスイッチに接触することによりフラッシュを焚くタイミングを制御回路（不図示）検知させるものになっている。
【００１５】
図１の状態においては、上面のローラ１２ｃはセットレバー１の突部に当接しており、駆動ピン１２ｅは最上位に位置しているので、図示していない開放羽根は完全に開口を閉じていることを示している。
以上説明したように、シャッタの初期状態を示した図１の状態は、閉鎖羽根は展開してシャッタ開口を閉じた状態となっていると同時に、開放羽根も展開してシャッタ開口を閉じており、いわゆる二重遮光の状態になっている。
【００１６】
図１の状態において、図示していないカメラのレリーズスイッチを押すと、図示していないモータによりセットレバー１が右旋して図２の状態となる。
図２においては、セットレバー１の左旋によりセットピン１ｅがロックレバー２の下部から外れるため、ロックレバー２は引張りバネ３の付勢力により右旋し、第１係合受部２ｂと第２閉鎖レバー７の第１係合部７ｂとの係合が外れる。その結果、第２閉鎖レバー７は引張りバネ１０の付勢力により左旋してアーム部が第１閉鎖レバー６の当接部６ｃに当接して止まる。なお、このときには第１閉鎖レバー６は軟磁性板８が電磁石１１に吸着した状態であるため図１と同じ位置にある。
【００１７】
また、開放レバー１２は、第１閉鎖レバー６と同様に軟磁性板１４が図示していない電磁石への吸着したであるためこれまた図１と同じ位置にある。したがって図１の状態においては、閉鎖羽根は開口から退避して折りたたまれた状態となっており、開放羽根は開口を閉じた状態になっている。すなわち開放羽根１２のみによる一重遮光の状態となっている。この状態はまた、露光前状態となっていることを意味する。
【００１８】
図２の状態において、開放レバー１２の軟磁性板１４を吸着している電磁石への通電を停止すると、軟磁性板に対する吸着力が消失し、開放レバー１２は引張りバネ１３の付勢力により右旋して図３に示す状態となる。
図３に示す状態では、セットレバー１、ロックレバー２及び閉鎖レバー５は図２の状態と同じであるが、開放レバー１２が上記したように右旋することにより駆動ピン１２ｅは最下位まで変位している。この結果、開放羽根は開口から退避して折りたたまれた状態となっており、図２の状態から閉鎖羽根が既に開口から退避して折りたたまれていることと合わせてシャッタ開口が開いた露光状態となっている。
開放レバー１２の右旋により突起部１２ｄがフラッシュ用スイッチ１５に触れて制御回路にフラッシュを焚くタイミングであることを検知させている状態となっている。
【００１９】
図３の状態、すなわち閉鎖羽根及び開口羽根の両者が折りたたまれて、シャッタ開口が完全に開き、所定の時間が経った後に、閉鎖レバー５を吸着している電磁石１１の通電を停止すると、軟磁性板８に対する吸着力が消失するため、引張りバネ９の付勢力により閉鎖レバーは右旋する。このとき、第２閉鎖レバー７の第２係合部７ｃがロックレバー２の第２係合受部２ｃを押し下げて、第２係合受部２ｃより左側に第２係合部７ｃがきて係合する。
【００２０】
図４に示す状態においては、第２閉鎖レバー７が右旋し、駆動ピン７ａが下位に位置するため、閉鎖羽根はシャッタ開口を閉じた状態となっている。閉鎖羽根が閉じることにより露光が終了し、１コマ分の撮影が終るのでここで初期位置に各部材をセットするためにセットレバー１が右旋を始めて図１に示す初期状態に戻るようにチャージを始める。
【００２１】
本発明のフォーカルプレーンシャッタには、図５に示すような、異常動作検知機構が採用されている。この機構の働きについては、従来の技術で述べたのでここでは省略する。セットレバー１が右旋を続けると突部１ｂがローラ６ｂと当接し、第１閉鎖レバー６を引張りバネ１０の付勢力に抗して左旋させていく。このとき第２閉鎖レバー７は第２係合部７ｃとロックレバー２の第２係合受部２ｃとが係合しているため動くことなくその位置を保持している。
また、セットレバーの突部１ｃがローラ１２ｃと当接し、開放レバー１２を引張りバネ１３の付勢力に抗して左旋させていく。
【００２２】
チャージ終了直前に、セットレバー１のセットピン１ｅがロックレバー２の下部と当接し、ロックレバー２を引張りバネ３の付勢力に抗し左旋させる。このため、ロックレバー２の第２係合受部２ｃと第２閉鎖レバー７の第２係合部７ｃとの係合が解け、第２閉鎖レバー７が引張りバネ１０の付勢力によりわずかに左旋される。するとすぐにロックレバー２の第１係合受部１ｂと第２閉鎖レバー７の第１係合部７ｂとが係合し、第２閉鎖レバー７はわずかに左旋された位置で保持される。
【００２３】
第２閉鎖レバー７がわずかに左旋されたおかげで、閉鎖羽根はわずかに上方へ移動する。このため、閉鎖アーム２１，２２もわずかに上方へ移動する。セットレバー１がチャージを完了すべく右旋しきったときには、突部１ｃに当接している開放レバー１２が一番左旋されきった位置にきて、駆動ピン１２ｅも一番上方へ位置するが、第２閉鎖レバー７が上述のようにわずかに左旋されているので、駆動ピン１２ｅと閉鎖アーム２２がぶつかることがなくなる。
このため、セットレバー１は各部材を図７の初期状態に不都合なくセットすることができる。
これにより一重遮光形式のシャッタで採用していた機構を二重遮光形式のシャッタにも採用することが可能となる。
【００２４】
【発明の効果】
本発明によれば、二重遮光形式のフォーカルプレーンシャッタにおいて、閉鎖羽根の開口を閉じる位置を２段階に設定することにより、閉鎖羽根のアームに開放レバーの駆動ピンが当接する不都合を防止することが可能となる。
【図面の簡単な説明】
【図１】本発明のシャッタ駆動機構の初期状態を示す正面図である。
【図２】同、露光前の状態を示す正面図である。
【図３】同、露光中の状態を示す正面図である。
【図４】同、露光動作直後の状態を示す正面図である。
【図５】同、閉鎖アームが開放レバーのピンに当接した状態の例を示す正面図である。
【図６】同、図５の状態の発生に起因して開放レバーが下がった状態を示す正面図である。
【符号の説明】
１              セットレバー
２              ロックレバー
２ｂ            第１係合受部
２ｃ            第２係合受部
５              閉鎖レバー
６              第１閉鎖レバー
７              第２閉鎖レバー
７ｂ，７ｃ      係合部
１２            開放レバー
【図１】
0004237911.tif 000002
【図２】
0004237911.tif 000003
【図３】
0004237911.tif 000004
【図４】
0004237911.tif 000005
【図５】
0004237911.tif 000006
【図６】
0004237911.tif 000007